(57)【要約】【課題】  ベース内に収納されているレンズ等が熱による影響を受けることなく基板にベースを固定できるレンズ駆動装置を提供する。【解決手段】  本発明のレンズ駆動装置１は、レンズ支持体７等を収納するベース５と、底面５ｄが熱により基板２に接着されるホルダ６とを備え、ベース５は外周面において対向する位置に設けた少なくとも一対の第１被係止部３１と、ホルダ６に設置される底面に設けた被嵌合部４１と、一対の第１被係止部３１の間の外周面において底面から突設した係合突部３５とを備え、係合突部３５には側方に突設した第２係止部３９が設けてあると共に基板２の端子に接続される受電端子３７が設けてあり、ホルダ６はベース５の被嵌合部４１と嵌合する嵌合部４３と、第１被係止部３１に係止するように側方に突設した複数の第１係止部４５と、係合突部３５が係合する係合凹部４７と、第２係止部３９が係止する第２被係止部４９とを備えている。【選択図】      図１
2006178051.tif 000002
【特許請求の範囲】
【請求項１】
ヨークと、マグネットと、コイルと、外周にコイルが固定されたレンズ支持体と、これらを収納するベースと、底面が熱により基板に接着されるホルダとを備え、コイルに通電して生じる電磁力によりレンズ支持体をレンズの光軸方向に移動するレンズ駆動装置であって、ベースは外周面において対向する位置に設けた少なくとも一対の第１被係止部と、ホルダに設置される底面に設けた被嵌合部と、一対の第１被係止部の間の外周面において底面から突設した係合突部とを備え、係合突部には側方に突設した第２係止部が設けてあると共に基板の端子に接続される受電端子が設けてあり、ホルダはベースの被嵌合部と嵌合する嵌合部と、第１被係止部に係止するように側方に突設した複数の第１係止部と、係合突部が係合する係合凹部と、第２係止部が係止する第２被係止部とが設けてあることを特徴とするレンズ駆動装置。
【請求項２】
被嵌合部はレンズの外周よりも径の大きな円形の孔であり、嵌合部は被嵌合部の内周に嵌合する環状の突部であることを特徴とする請求項１に記載のレンズ駆動装置。
【請求項３】
第１係止部は光軸方向に突設した脚部の先端に設けてあり、脚部と係合突部とは弾性変形可能であり、第１係止部及び第２係止部は各々内側に向けて突設してあり、ホルダにベースを押し込んだ際に第１係止部と係合突部とが外側に向けて弾性変形した後に弾性復帰して第１係止部が第１被係止部に係止し、第２係止部が第２被係止部に係止することを特徴とする請求項２に記載のレンズ駆動装置。
【発明の詳細な説明】
【技術分野】
【０００１】
本発明は、携帯型小型カメラ等に用いられ、光軸方向にレンズを駆動するレンズ駆動装置に関する。
【背景技術】
【０００２】
特許文献１には、基板にベースを固定したレンズ駆動装置が開示されており、ベース内には、ヨークと、マグネットと、コイルと、外周にコイルが固定されたレンズ支持体とが収納されている。この公報には直接の記載がないが、一般的に、基板とベースとは熱硬化接着剤により固定されている。熱硬化接着剤によれば、強固で簡易且つ瞬時に固定できるからである。
【０００３】
【特許文献１】特開２００４−２８００３１号公報
【発明の開示】
【発明が解決しようとする課題】
【０００４】
しかしながら、ベースを熱により基板に接着すると、ベース内に収納されているレンズやコイル等が接着時の熱により損傷したり、悪影響を受けるという問題がある。
【０００５】
そこで、本発明は、ベース内に収納されているレンズ等が熱による影響を受けることなく基板にベースを固定できるレンズ駆動装置の提供を目的とする。
【課題を解決するための手段】
【０００６】
請求項１に記載の発明は、ヨークと、マグネットと、コイルと、外周にコイルが固定されたレンズ支持体と、これらを収納するベースと、底面が熱により基板に接着されるホルダとを備え、コイルに通電して生じる電磁力によりレンズ支持体をレンズの光軸方向に移動するレンズ駆動装置であって、ベースは外周面において対向する位置に設けた少なくとも一対の第１被係止部と、ホルダに設置される底面に設けた被嵌合部と、一対の第１被係止部の間の外周面において底面から突設した係合突部とを備え、係合突部には側方に突設した第２係止部が設けてあると共に基板の端子に接続される受電端子が設けてあり、ホルダはベースの被嵌合部と嵌合する嵌合部と、第１被係止部に係止するように側方に突設した複数の第１係止部と、係合突部が係合する係合凹部と、第２係止部が係止する第２被係止部とが設けてあることを特徴とする。
【０００７】
請求項２に記載の発明は、請求項１に記載の発明において、被嵌合部はレンズの外周よりも径の大きな円形の孔であり、嵌合部は被嵌合部の内周に嵌合する環状の突部であることを特徴とする。
【０００８】
請求項３に記載の発明は、請求項１又は２に記載の発明において、第１係止部は光軸方向に突設した脚部の先端に設けてあり、脚部と係合突部とは弾性変形可能であり、第１係止部及び第２係止部は各々内側に向けて突設してあり、ホルダにベースを押し込んだ際に第１係止部と係合突部とが外側に向けて弾性変形した後に弾性復帰して第１係止部が第１被係止部に係止し、第２係止部が第２被係止部に係止することを特徴とする。
【発明の効果】
【０００９】
請求項１に記載の発明によれば、ホルダを熱により基板に接着する一方、これと別にレンズ支持体等の各部品をベースに組み付けて、ベースをホルダに装着する。ベースのホルダへの装着は、ベースの外周面に設けた第１被係止部とホルダに設けた第１係止部とを係止し、ベース底面に設けた被嵌合部をホルダに設けた嵌合部に嵌合し、係合突部に設けた第２係止部をホルダの第２被係止部に係止する。ベースはホルダが熱により接着されるときに熱の影響を受けないので、ベース内に収納されているレンズ等が熱により損傷したり悪影響を受けるのを防止できる。
尚、熱により接着する方法としては、熱硬化接着剤や熱溶着等による接着がある。
【００１０】
ベースの外周面において対向する位置に一対の第１被係止部が設けてあり、外周面において一対の第１係止部間に第２係止部が設けてあるから、ベースとホルダとはホルダ外周面の３点位置で光軸方向（以下「Ｚ軸方向」という）の位置規制がされる。また、ホルダの嵌合部とベースの被嵌合部とが嵌合することにより光軸に直交する面方向（以下「ＸＹ軸方向」）との位置規制がされる。これにより、ベースとホルダとはＸＹＺ軸方向の３次元における位置規制がされるので確実に固定できる。
【００１１】
ベースは、ホルダに対して係止や嵌合により固定されているので、各係止や嵌合を外すことにより着脱可能であるから、ベース内に収納されているレンズやコイル等の各部品の不具合や組み付け不良等があった場合には別のベースと交換して使用できる。同様に、基板に不具合があった場合にも、ホルダを固定した別の基板と交換して使用できる。したがって、部品の無駄を低減できる。
【００１２】
請求項２に記載の発明によれば、請求項１に記載の作用効果を得ることができるとともに、被嵌合部と嵌合部とはレンズ径よりも大きな径でレンズの外周にそって嵌合するので嵌合範囲を広くとることができ、安定した嵌合を図ることができると共に、ＸＹ方向の位置規制を確実に行うことができる。
【００１３】
請求項３に記載の発明によれば、請求項２に記載の作用効果を得ることができると共に、脚部と係合突起とが弾性変形や弾性復帰することにより、ホルダにベースを押し込むだけで、ワンタッチで簡単に組み付けできる。
【発明を実施するための最良の形態】
【００１４】
以下に、添付図面を参照して本発明の実施の形態を説明する。図１の（ａ）は本発明の実施の形態にかかるレンズ駆動装置をホルダとベースとに分解した分解斜視図であり、（ｂ）はホルダにベースを装着した状態の斜視図であり、図２は図１（ａ）に示すホルダとベースとを底面側を上にして見た分解斜視図であり、図３はホルダ内の各部品を分解して示す分解斜視図であり、図４は図１（ｂ）の縦断面図である。
【００１５】
本実施の形態にかかるレンズ駆動装置１は、携帯電話に組み込まれるオートフォーカス小型カメラのレンズ駆動装置である。
【００１６】
このレンズ駆動装置１は、熱により基板２に固定されるホルダ６と、レンズ等の各部品を収納したベース５とから構成されている。
ホルダ６には、略円筒形状のヨーク３と、ヨーク３の内周側に配置されるレンズ支持体７と、レンズ支持体７に取り付けられる前側スプリング９と、後側スプリング１１とが収納されており、前側スプリング９はレンズ支持体７におけるレンズの光軸方向前側（先端側）に配置され後側スプリング１１はレンズの光軸方向後側（後端側）に配置されている。
【００１７】
ヨーク３は断面が略コ字形状であり、コ字の内部にマグネット１３が配置され、コ字の内部でマグネット１３の内周側にコイル１５が配置されている。マグネット１３は後方スペーサ１７を介してベース５に固定されている。コイル１５はレンズ支持体７の外周部に固定されているとともにレンズ支持体７の外周部がヨーク３の内部に入り込んでおり、レンズ支持体７の外周部はヨーク３のコ字隙間を移動するようになっている。
【００１８】
レンズ支持体７は略円筒形状であり、その内部にレンズ２０が収納されており、ヨーク３の内周側を光軸に沿って移動自在に取り付けられている。
【００１９】
前側スプリング９は略環状の板ばねであり、内周側端部９ａはレンズ支持体７とキャップ２４に挟持されて固定してあり、外周側端部９ｂはヨーク３とフレーム２３との間に挟持され固定してあり、外周側端部９ｂとヨーク３との間には前方スペーサ２１が介在されている。
【００２０】
後側スプリング１１は前側スプリング９と略同一形状であり、略環状の板ばねである。後側スプリング１１の内周側端部１１ａはレンズ支持体７の後端に固定してあり、外周側端部１１ｂはベース５の基底部５ｂと後方スペーサ１７との間に固定されている。
【００２１】
次に、ベース５及びホルダ６について説明する。ベース５及びホルダ６は各々樹脂製である。
ベース５は全体的に外形が略直方体形状を成しており、ヨーク３の外周面に沿って間隔をあけて設け、且つ光軸方向に立設した第１〜第３の３つの外周壁５ａ、５ｂ、５ｃと、ヨーク３の後側（レンズの光軸方向の後側）に位置する基底部５ｄとを有している。
【００２２】
第１外壁５ａと第２外壁５ｂとには、それぞれ第１被係止部３１が設けてある。各第１被係止部３１は、基底部５ｄからＺ方向（レンズの光軸方向）に延出した突設部３３の端面である。２つの第１被係止部３１は、ベース５の外周面において対向位置している。
【００２３】
第３外壁５ｃには、基底部（底面）から突設した係合突部３５が設けてある。この係合突部３５は一対の第１被係止部間に位置している。第３外壁５ｃの外周面には係合突部３５に亘って受電端子３７が取り付けてあり、受電端子３７は基板に設けた端子に接続されるようになっている。
係合突部３５には内周側（ベースの中央側）に向けて突設した第２係止部３９が設けてある。係合突部３５は外周側に向けて弾性変形可能である。
また、基底部５ｄには被嵌合部４１が設けてある。被嵌合部４１は、円形状の穴であり、レンズの外周よりも径の大きな穴になっている。
【００２４】
ホルダ６は、裏面が基板２との溶着面になっている。ホルダの表面側には、ベース５の被嵌合部４１と嵌合する嵌合部４３と、各第１被係止部３１に係止するように内周側に向けて突設した複数の第１係止部４５と、係合突部３５が係合する係合凹部４７と、第２係止部３９が係止する第２被係止部４９とが設けてある。
嵌合部４３は被嵌合部４１の内径と略等しい外径を有する環状の凸部（リブ）であり、被嵌合部４１の内周縁に嵌合する。
【００２５】
第１係止部４５は矩形のホルダに対向して配置された脚部５１の先端に設けてあり、脚部５１は外方向に向けて弾性変形可能になっている。第１係止部４５は内周側に向けて突設しており、第１被係止部３１に側方から係止してＺ軸方向を規制するようになっていう。
第２被係止部４９はホルダ６の上面から裏面（溶着面）に至る肉厚の途中に設けた段部の端面であり、この第２被係止部４９には、第２係止部３９が側方から係止してＺ軸方向を規制するようになっている。
【００２６】
次に、本発明にかかるレンズ駆動装置１の組み立て、作用及び効果について説明する。
組み立ては、まず、ベース５の組み立てを行う。レンズ支持体７に後側スプリング１１の内周側端部１１ａを取付け、マグネット１３、レンズ支持体７に固定したコイル１５をヨーク３の内部に配置して、ベース５の基底部５ｂに後方スペーサ１７を介して組み付ける。その後、前方スペーサ２１とヨーク３との間に前方スプリング９の内周側端部９ａを載置してキャップ２４で固定すると共にフレーム２３をベース５に取り付けて外周側端部９ｂをフレーム２３で固定する。
【００２７】
一方、基板２とホルダ６とは、熱硬化樹脂接着剤を貼付した後熱を付与して、接着剤を熱硬化させることにより固定する。
そして、ホルダ６の嵌合部４３をベースの被嵌合部の位置に合わせてホルダ６に設けた一対の脚部５１、５１間にベース５を押し込む。すると、脚部５１、５１及び係合突部３５が弾性変形して外側に広がり、押し込み終わると、それぞれ弾性復帰して第１係止部４５と第１被係止部３１とが互いに係止すると共に第２係止部３９と第２被係止部４９とが互いに係止し、嵌合部４３と被嵌合部４１とが嵌合する。これにより、ホルダ６にベース５が装着される。
【００２８】
本実施の形態によれば、ホルダ６と基板２とは熱硬化樹脂接着剤に熱を付与して固定する一方、レンズ支持体７等の各部品を収納したベース５をホルダ６に係止や嵌合により装着するので、ベース５はホルダ６が基板２に接着されるときの熱の影響を受けず、ベース５内に収納されているレンズ等が熱により損傷したり悪影響を受けるのを防止できる。
【００２９】
ベース５とホルダ６とは対向した位置で一対の第１被係止部３１と第１係止部４５とが係止し、ベース５の外周面における２つの第１係止部間３１、３１間で第２係止部と第２被係止部とが係止するから、ベース５とホルダ６とはベース５の外周面の３点位置でＺ軸方向の位置規制がされる。更に、ホルダ６の嵌合部４３とベース５の被嵌合部４１とが嵌合することによりＸＹ軸方向の位置規制がされるので、ベース５とホルダ６とは３次元における位置規制ができ、確実に固定できる。
【００３０】
ベース５は、ホルダ６に対して係止や嵌合により固定されているので、各係止や嵌合を外すことにより着脱可能であるから、ベース５内に収納されているレンズ２０やコイル１５等の各部品の不具合や組み付け不良等があった場合には、別のベース（レンズ等を収納したもの）５と交換して使用できる。同様に、基板２に不具合があった場合にも、ホルダを固定した別の基板２と交換して使用できる。したがって、部品の無駄を低減できる。
【００３１】
ホルダ６にベース５を押し込むだけで、ワンタッチで簡単に組み付けできる。
被嵌合部４１と嵌合部４３とはレンズ径よりも大きな径でレンズの外周にそって嵌合するので嵌合範囲を広くとることができ、安定した嵌合を図ることができ、しかも嵌合部４３と被嵌合部４１とにおけるＸＹ方向の位置規制を確実に行うことができる。
【００３２】
本発明は、上述した実施の形態に限らず、本発明の要旨を逸脱しない範囲で種々変形可能である。
例えば、嵌合部と被嵌合部とはいずれが凸部でいずれが孔であってもよい。
【図面の簡単な説明】
【００３３】
【図１】（ａ）は本発明の実施の形態にかかるレンズ駆動装置をホルダとベースとに分解した分解斜視図であり、（ｂ）はホルダにベースを装着した状態の斜視図である。
【図２】図１（ａ）に示すホルダとベースとを底面側を上にして見た分解斜視図である。
【図３】ホルダ内の各部品を分解して示す分解斜視図である。
【図４】図１（ｂ）に示すレンズ駆動装置の縦断面図である。
【００３４】
１      レンズ駆動装置
３      ヨーク
５      ベース
６      ホルダ
７      レンズ支持体
１３    マグネット
１５    コイル
３１    第１被係止部
３３    突設部
３５    係合突部
３７    受電端子
３９    第２係止部
４１    被嵌合部
４３    嵌合部
４５    第１係止部
４７    係合凹部
４９    第２被係止部
５１    脚部
【図１】
2006178051.tif 000003
【図２】
2006178051.tif 000004
【図３】
2006178051.tif 000005
【図４】
2006178051.tif 000006